(57)【特許請求の範囲】
【請求項１】
裏面側によだれかけに着脱可能な接着面を設けて成る支持体の表面に吸収体と液透過性の表面側カバー体又はシート状の吸収体を具備し、その表面側に任意に図柄を施し、周縁を所望の形状に作成して成るよだれかけ装着用吸収体付シールであって、前記接着面を支持体の裏面側上周縁端に沿って接着部材を塗布することにより設け左右両周縁及び下周縁のうち少なくとも一箇所以上を非接着面としたことによりよだれの効率的吸収及び着脱の容易さを成し得た、アップリケとしても使用可能なよだれかけ装着用吸収体付シール。
【請求項２】
裏面側に接着面を設けて成る支持体を液不透過性としたことを特徴とする請求項１に記載のよだれかけ装着用吸収体付シール。
【発明の詳細な説明】
【０００１】
【発明の属する技術分野】
本発明は、おもに乳幼児のよだれかけに装着させて使用する、吸収体を有するシールに関する。
【０００２】
【従来の技術】
従来、乳幼児のよだれかけとして一般的なものは、ガーゼを重ね合わせたものをその周縁を縫い合わせ製作したもので、乳幼児の首部や背に紐を結んであてがう形態のものが主であった、
機能的に優れたものとしては、表面に抗菌処理が施してあり、裏面には防水カバーを施し漏水を防ぐ工夫がなされていた。
さらに使い捨てタイプのよだれかけとして実関平１−１６８５１１号公報使い捨てよだれかけや実開昭６３−４２１０９号公報のような不織布等を使用した使い捨ての紙製よだれかけの先行技術例がある。
又、よだれかけの替え布をホックにより取り付け可能とした幼児用よだれかけとして実開昭６３−１８３２１２の先行技術例がある。
【０００３】
【発明が解決しようとする課題】
しかしながら以上述べたようなよだれかけには次のような間題点がある。
一般の乳幼児用よだれかけに共通する間題点として、乳幼児の首部分や背中部分に掛けたり結んだりする紐は、洗濯の時にからまりやすく、又、衛生上他の洗濯物とは分けて洗濯するため手間がかかった。
さらに布によるよだれかけは、乳幼児のよだれが付着した場合、布地からの逆流出のために濡れてしまい、表面がべたついて頻繁に交換しなければならないという不便があり乳幼児は特に生後１年間の歯のはえ揃うまで、その個人差はあるが、特に唾液の分泌量が多い時期においては、１日によだれかけを５枚以上取り替えることも珍しくなく、そのたびの付け外しや洗濯は大変な労を要する。
又、このような乳幼児を連れての外出の際には、替えのよだれかけをかさばるにもかかわらず何枚も所持していかなければならないという事態に陥る。
先に述べた使い捨てタイプの紙製品でできたよだれかけにおいては、その普及は今のところ極めて低く、その理由としては、紙おむつ等と違い、よだれかけは直接人目にふれることから、あまり見栄えのよくない簡易紙製品を子供の首にあてておくのは外見上抵抗感があるからということと、コスト高と、付け替える手間は布製のものとほとんど変わらないことがおもな理由である。
又、布製のよだれかけと紙製品のよだれかけ双方共通してその表面は平面的である為、乳幼児のよだれがよだれかけ表面の上方から下方へいっきに垂れ流れていってしまう為、ある程度よだれかけの表面面積を大きくとらなければならないという欠点があった。
よだれかけの一部に替え布をホックにより取り付ける構造の実開昭６３−１８３２１２に関示の幼児用よだれかけについては、よだれかけ本体と替え布をホックにより取り付け、重ね合わせている為首まわりを中心にもたつく上、見た目にもスマートさに欠けるものである。
しかし、乳幼児に従来の布製のよだれかけを使用している母親の多くは、その大変さに大いに困っているのであり、乳幼児はよだれの他に、ゲップでミルクをもどしたり、離乳食がはじまると今度は飲物をこぼすため、よだれかけは１日何枚も必要であり、果てはこのような乳幼児によだれかけを掛けた上から更に、ティッシュや紙ナプキンを乳幼児の首とよだれかけの首まわりの間に入れては、取り替えて毎日をしのいでいる例も少なくはない。
【０００４】
【課題を解決するための手段】
本発明は上記の間題点を一気に解決しようとするもので、上記間題点を解決するために、吸収体を具備した吸収体付シールを作成することとする。
本発明のよだれかけ装着用吸収体付シールは、その材質をおもにパルプ材や吸収材を用いて作成し、一般のシールのように貼り付けるだけでなく容易に剥すことが可能な適度の接着力を有する接着面を裏面側に設け、乳幼児用よだれかけの表面に装着してよだれを吸収する目的に使用し、洗濯不用の使い捨てタイプの製品として安価に大量生産が可能なものを作成することとした。
【０００５】
更に詳しくその構成について説明すれば、裏面側によだれかけに着脱可能な接着面を設けて成る支持体の表面に、吸収体と液透過性の表面側カバー体又はシート状の吸収体を具備し、更にその表面側に任意に図柄を施し、周縁を所望の形状に輪郭を作成し圧着接合する等の方法により処理することにより、吸収体を有する吸収体付シールを作成する。
吸収体を用いた本発明のシールの大きさは、一般のよだれかけに装着した時のバランスを考え、一般のよだれかけよりも小さく、かつ、乳幼児のよだれが最も付着する部分を充分にカバーできるサイズであることが望ましい。
厚みは最近の吸収材として綿状パルプの他、高分子ポリマー等、吸収能力に優れた材質を吸収体として用いることにより、薄くてかさばらずに、本発明の目的である乳幼児のよだれその他の液体の吸収に耐える製品の作成が可能である。
上記に説明した吸収体付シールの表面側カバー体に使用する液透過性の材質としては、不織布等があり、吸収体は綿状パルプ等で構成し、支持体はパルプシート等により作成が可能である。
シート状の吸収体とは、ここでは吸収体の材質である綿状のコットンやパルプ繊維等を特にその表面側がほつれたりからまってはがれたりしない程度に整えシート状に形成したものであれば特にその形態にこだわる必要はなく、例えば、薄紙の吸水性紙に綿状パルプ等の吸収材を裏打ちしシート状に作成した吸収体や、吸収性に優れたコットンの繊維を織り込むことによりシート状に作成した吸収体を用いるなど、支持体表面側にコットンの繊維をプレス加工により表面を平滑なシート状に形成し接着して成る形態のものや、コットンの繊維をメッシュ状に織り込み作成したシート状の吸収体であってもよい。
支持体表面側にシート状の吸収体を具備することにより、薄くて吸収性に優れた本発明のよだれかけ装着用吸収体付シールを作成することが可能である。
本発明の吸収体付シールの表面側カバー体やシート状の吸収体表面には、動物や花や人気キャラクター等の任意の図柄を着色等により施すことにより、アップリケのような仕様のおしゃれなシールとしてよだれかけに装着し使用出来る。
本発明のよだれかけ装着用吸収体付シールは、よだれの効率的吸収及び着脱の容易さを追求し、接着面を、支持体裏面側のよだれかけに接する面においてその周縁全体からみて上方向にあたる上周縁端に沿って接着部材を塗布することにより設け、左右両周縁及び下周縁のうち少なくとも一箇所以上を非接着面とする。
左右両周縁及び下周縁とは、ここでは左右及び下方向における周縁端より大体２．０ｃｍ以内の範囲を示すこととする。
これにより本発明の吸収体付シール上周縁とよだれかけがぴったり接着することで、乳幼児のよだれが本発明のシール上周縁とよだれかけの間に溜るのを防ぐと共に、剥すときには非接着面をつまみ簡単に剥ぎ取ることが可能である。
【０００６】
本発明のよだれかけ装着用吸収体付シールの裏面側に接着面を設けて成る支持体を液不透過性としたことを特徴としたものを作成する。
裏面側によだれかけに着脱可能な接着面を設けて成る液不透過性の支持体と、支持体表面に吸収体と表面側カバー体又はシート状の吸収体を具備し、周縁を所望の形状に作成し、表面側カバー体又はシート状の吸収体表面側に任意に図柄を施すことにより、作成する。
支持体はビニールシート等の液不透過性の材質の他、薄いポリエチレンフィルム等の防水シートに通常紙をラミネートしたものを支持体としてもよいこととし、裏面側のよだれかけに接する面には接着部材を設けることにより接着面を構成する。
支持体を液不透過性とすることにより、防漏性に優れた本発明の吸収体付シールの作成が可能となり、長時間本発明の吸収体付シールを使用しても、支持体裏面側によだれがしみ出す心配無く安心して装着し使用できる。
【０００７】
【発明の実施の形態】
図１は本発明のよだれかけ装着用吸収体付シール１の一例を示した斜視図であり、図２は図１を一部欠切した状態を示す斜視図である。
図１及び図２に示されるように本発明に係わる吸収体付シール１は、裏面側によだれかけに着脱可能な接着面５を設けて成る支持体３の表面に吸収体４と液透過性の表面側カバー体２を具備し、周縁７を所望の形状に作成し、表面側カバー体２の表面に任意に図柄１０を施して成るよだれかけ装着用吸収体付シール１であり、支持体３裏面側のよだれかけに接する面には接着部材を塗布することにより接着面５を設けて成る。
図３は図１のＡ−Ａ線で切った断面図である。
液透過性の表面側カバー体２として適した材質として例をあげるとメッシュタッチの不織布がある。
この材質を表面側カバー体２に使用することにより、乳幼児のよだれがすばやく吸収体４に吸収され、表面側はベタつかず肌ざわりや使用感のよいことを考えれば、表面側カバー体２として適した材質の一つであるといえる。
また、表面側カバー体２は液透過性の材質であれば、不織布以外のものを使用してもよい。
吸収体４は、表面側をソフトなタッチにするパルプ材によるクッションカバー紙４ａと柔らかな綿状パルプ４ｂと高分子吸収体４ｃを用いることにより、薄くても吸収力に優れた製品の作成が可能である。
この吸収体４は綿状パルプ４ｂのみを用いて作成しても乳幼児のよだれを吸収するには充分であり、又、この他の吸収材を用いてもよいこととする。
支持体３はパルプシート等の材質で作成が可能である。
吸収体４を充実させ、高分子ポリマー４ｃ等を使用することで乳幼児のよだれをしっかり吸収体４に吸収し閉じ込めることにより、支持体３の裏面側によだれが漏れる心配はうすいことや、又、万一しみだしてもよだれかけに防水シートが施してあれば服を汚す心配もなく、コスト面や素材においてより広い範囲から支持体３に使用する材質を選択できることを考えれば、支持体３を液透過性や半透過性としたほうがよい場合がある。
図１に示す他、本発明の吸収体付シールは、表面側カバー体２に生物や花や人気キャラクター等の図柄１０を着色等により任意に施し、先に述べた様な吸収体４と支持体３と共に重ね合わせて成るものを四角形や円形あるいは印刷した柄の輪郭に合わせて任意の形状に周縁７を作成すると共にその周縁７を熱圧着（溶着）や接着剤によりそのまま重ね合わせた状態で接合したり図３に示す様に吸収体４を中に挟んで表面側カバー体２と支持体３により袋状に圧着接合により処理することにより周縁接合部７ａを作成する。
周縁接合部７ａは、その全部あるいは一部を省略してもよいが、その場合、支持体３と吸収体４と表面側カバー体２になんらかの接合手段を施すこととする。
本発明の吸収体付シール１は、一般のよだれかけに装着した時のバランスを考え、かつ、乳幼児のよだれかけが最も付着する部分を充分カバーできるサイズとしていろいろ試みた結果、その直径が７．０ｃｍ以上であることが望ましく、シールとしての厚みは２ｍｍ〜７ｍｍ程度のものが使用感もよく、吸収体４の厚みとしても必要にして充分な範囲である。
【０００８】
本発明のよだれかけ装着用吸収体付シール１を、裏面側によだれかけに着脱可能な接着面５を設けて成る支持体３と、支持体３表面に具備されたシート状の吸収体４により構成し、周縁７を所望の形状に作成することにより、支持体３表面にシート状の吸収体４を設けた吸収体付シール１を作成する。
図４は図１に示した図柄の吸収体付シール１において、薄紙の吸水性紙４ｄを綿状パルプ４ｂにより裏打ちし一枚のシート状に作成された吸収体４と裏面側に接着面５を設けて成る支持体３により構成した、吸収体付シール１の実施例の一部を切欠した状態を示す斜視図である。
シート状の吸収体４として、吸水性紙４ｄに綿状パルプ４ｂ等の吸収材を裏打し作成されたシート状の吸収体４や、吸収性に優れたパルプの繊維を織り込むことにより作成されたシート状の吸収体４を用いることにより、シート状の吸収体４と裏面側に接着面５を設けて成る支持体３により構成した、よだれがけ装着用吸収体付シール１を作成する。
シート状の吸収体４の表面側には任意に図柄１０を施し、周縁７を所望の形状に作成し、支持体３の裏面側でよだれかけに接する面にはよだれかけに着脱可能な適度の接着力を有する接着面５を設ける。
シート状の吸収体４は、これを二重や三重にかさねて作成した場合、一番上の表面にあたる面を表面側とし、任意に図柄１０を施すこととする。
このように、シート状の吸収体４を使用することにより構成が箇略化され、薄くて吸収性に優れた製品となる。
図５は図１に示した本発明の吸収体付シール１の支持体３裏面側のよだれかけに接する面に接着部材を塗布することにより接着面５を設けた一例を示す平面図であり、接着部材は図５に示す様に本発明の吸収体付シール１の上周縁７ｂ端の輪郭に沿って塗布し、左右両周縁７ｃ及び下周縁７ｄを非粘着面６とした。
吸収体４と表面側カバー体２の代わりに、シート状の吸収体４を具備してなる本発明の吸収体付シール１においても同様に、本発明のよだれかけ装着用吸収体付シール１は、よだれの効率的吸収及び着脱の容易さを追求し、接着面５を、支持体３裏面側のよだれかけに接する面においてその周縁７全体のうち上方向にあたる上周縁７ｂ端に沿って設け、左右両周縁７ｃ及び下周縁７ｄを非接着面６とする。
左右両周縁７ｃ及び下周縁７ｄとは、ここでは左右及び下方向にあたる周縁７端より大体２．０ｃｍ以内の範囲を示すこととする。
これにより本発明の吸収体付シール１の上周縁７ｂとよだれかけがぴったり接着することで、乳幼児のよだれが本発明の吸収体付シール１の上周縁７ｂとよだれかけの間に溜るのを防ぐと共に、剥すときには非接着面６をつまみ簡単に剥ぎ取ることが可能である。
接着面５は適度の粘着性を有する接着剤の他、使い捨ての面ファスナー等を使用し設けてもよい。
【０００９】
本発明のよだれかけ装着用吸収体付シール１を、裏面側に接着面５を設けて成る支持体３を液不透過性としたことを特徴としたものを作成する。
支持体３はビニールシート等の液不透過性の材質の他、薄いポリエチレンフィルム等の防水シートと通常紙等をラミネートしたものを支持体３としてもよいこととし、よだれかけに接する面には接着部材を設けることにより接着面５を構成する。
図６は裏面側によだれかけに着脱可能な接着面５を設けて成る液不透過性の支持体３と、支持体３の表面に吸収体４と表面側カバー体２を具備し、周縁７を所望の形状に作成しそのまま重ね合わせて接合することにより周縁接合部７ａを作成した例を示す断面図であり、支持体３は防水シート３ａとパルプシート３ｂとによって構成した例を示すもので、このように、支持体３を防水シートの役目を果たすシートと他の材質を使用しそれを積層して成るもので構成してもよい。
本発明のよだれかけ装着用吸収体付シール１は、表面側カバー体２やシート状の吸収体４表面側に、生物や花やその他人気キャラクター等の図柄１０を施したり、図柄１０の輪郭に合わせて周縁７をカッティングし作成することにより、かわいらしくおしゃれなシールとして、外観上、何の違和感もなく乳幼児のよだれかけにアップリケをつけている感覚で装着出来る。
図７に示すように葉っぱの図柄を施したよだれかけ８に図１に示した本発明の吸収体付シール１を組み合わせて使用することで、木の葉の上にかたつむりがのっている構成の絵がよだれかけ８表面の図柄９と吸収体付シール１の表面の図柄１０により完成する。
よだれかけ８は一枚用意しておけばそれに組み合わせて使用する吸収体付シール１は必要に応じて買い求めることができ、無駄無く楽しく使用できる。
【００１０】
以上述べたように、本発明の吸収体付シール１は、様々な仕様が可能であり、更に、乳幼児の生後数カ月から２年位の間の発育段階や、よだれの分泌量の個人差においても、それぞれ違う大きさや構造を持つ本発明の吸収体付シール１が必要であるため、特にその形態や大きさ、構造について、これが一番よいという限定はできないものであるゆえに、いろいろな大きさや構造や図柄の吸収体付シール１を提供することで消費者が乳幼児の発育段階や好みに応じた製品を選択できるようにすることが望ましい。
【００１１】
【発明の効果】
以上述べたような本発明のよだれかけ装着用吸収体付シールを使用することにより、次のような利点及び効果が生ずる。
まず第１に本発明の吸収体付シールを一般のよだれかけの表面に装着することにより、乳幼児がよだれで前面を汚すたびに、その都度よだれかけの紐を乳幼児の首や背中から取り外して新しいよだれかけに取り替える煩わしさをなくして、本発明の吸収体付シールのみ接着面の適度な接着力を利用しワンタッチで取り外して、新しい吸収体付シールとの交換ができる。
特に乳幼児のよだれの分泌量が多い時期においては、１日平均５枚〜７枚ものよだれかけの取り替えが必要であったが、本発明のシールを使用することにより、よだれかけそのものを取り替えるのは１日１回で済み、よって洗濯時に紐の絡まりやすいよだれかけを毎日何枚も洗う必要に迫られずに済むこととなる。
第２に吸収体をシート状とした本発明の吸収体付シールにおいては、薄くて吸収力にすぐれた製品の作成が可能となり、このように、事実上、表面側カバー体を省略し、吸収体をシート化することで構成が箇略化され、薄くて吸収性に優れたコストの安い製品となる。
又、支持体を液透過性の材質を用いて作成したものにおいては、コストも安くなるうえ、防水性のシートを使用しないことにより、本発明の吸収体付シールを、水で分解して土に戻したり焼却することが可能な環境にやさしい製品として提供でき、一方、支持体を、ビニールシート等を使用することにより液不透過性とした本発明の吸収体付シールにおいては、支持体裏面側によだれがしみだす心配もなく特によだれの分泌量の多い乳幼児に安心して使用が可能となる。
第３に本発明の大きな利点として、支持体裏面側に接着面と非接着面を設けたことにより、よだれの効率的吸収及び着脱の容易さを成し得た点にある。
本発明の吸収体付シールは、支持体裏面側のよだれかけに接する面に接着面を上周縁端に沿って設けられたものにおいては、よだれかけと本発明の吸収体付シールの上周縁がぴったり接着されよだれかけとシール上周縁との間に隙間をもたせていない構造となっている為、たとえば乳幼児のよだれが、本発明の吸収体付シール上周縁より少し上の部分に垂れ落ちた場合においてもよだれかけとシール裏面の上周縁の間によだれがたまる心配もない上、上周縁の膨らみにより乳幼児のよだれが一気に下方向に垂れ流れることなく土手の役割をして一旦そこでよだれの流れがせき止められ、すぐさま本発明の吸収体に吸い込まれてゆくしくみとなっているうえに、一般のシールのように貼り付けるだけでなく、容易に取りはずすことが可能な適度の接着力を有する接着面を設けると共に、左右両周縁及び下周縁のうち少なくとも一箇所以上を非接着面としてある為、取りはずす際には左右又は下周縁の非接着面部分のへりをつまんで箇単にはぎ取ることができる。
第４に本発明の吸収体付シールは、吸収体をしっかり有するシールであるからして、機能的には乳幼児のよだれをきちんと吸収し、外観上は装飾用の従来のシールやアップリケと同じ装飾感を保ち、肌ざわりや見た目のソフト感を加えれば、それ以上の美観と使用感のよさが生まれる。
本発明の吸収体付シールは、最近の優れたパルプ材、吸収材、印刷、圧着プレス技術等の開発、進歩により一般のシールやアップリケと同じ美的外観を提供でき、従来の使い捨ての紙製よだれかけを使用するような抵抗感もなく、むしろ、無地のガーゼやタオル地で作成された安価なよだれかけも本発明の吸収体付シールを装着することにより、かわいくおしゃれな感じとなり母親や周囲の大人達にとっては好ましく映り、乳幼児においても、動物や花等の形が少しずつ理解できてくる時期に成ると本発明のいろいろな生物や物体を型どった吸収体付シールは、取り替えるたびに楽しく図柄を覚えるという効果も見逃せない。
第５に本発明の特徴としてコスト面及び環境面に配慮し必要量低限の資源で効率のよい製品を提供したことにある。
乳幼児のよだれかけがよだれにより汚れる箇所はだいたい決っているうえ、その部分はよだれかけ全体の一部分であることにより、その部分のみ本発明の吸収体付シールをあてがい、汚れてきたら取り替えることで効率のよさがうまれる。
本発明の吸収体付シールは従来の布製や紙製のよだれかけのような首紐や肩部分にあたる箇所の作成が省略されているため、その分余分な資源がカットされコスト安となるうえに、洗濯洗剤による河の汚染を考えれば、本発明のシールは全ての構成材質を土や水に溶けて自然に還元される天然素材で作成可能な、資源と環境に配慮した製品であるといえる。
第６に本発明の吸収体付シールは、従来の布製のよだれかけのようによだれによる布地からの逆流出により表面がべたつくこともなく、衛生面において常に清潔であり、天然素材を使用して本発明の吸収体付シールを作成すれば肌に優しく吸収性に優れたものとして、肌の弱い乳幼児にも安心して使用が可能であり、特に病原性大腸菌Ｏ＿１５７等乳幼児にとって恐ろしい感染症の流行時などは洗濯物により感染することもあり、本発明はこれらの感染症から乳幼児を守る為にも歓迎されるものである。
【図面の簡単な説明】
【図１】  本発明の吸収体付シールの一例を示す斜視図である。
【図２】  図１に示したシールを一部切欠した状態の斜視図である。
【図３】  図１のＡ−Ａ線で切った断面図である。
【図４】  図１に示した図柄において本発明の吸収体付シールの別の実施例の一部を切欠した状態を示す斜視図である。
【図５】  図１に示した吸収体付シールの支持体の裏面側を示す平面図である。
【図６】  図１のＡ−Ａ線で切った別の実施例を示す断面図である。
【図７】  本発明の吸収体付シールの使用状態を示す斜視図である。
【符号の説明】
１    本発明の吸収体付シール
２    表面側カバー体
３    支持体
３ａ  防水シート
３ｂ  パルプシート
４    吸収体
４ａ  パルプ材によるクッションカバー紙
４ｂ  綿状パルプ
４ｃ  高分子吸収体
４ｄ  吸収性紙
５    接着面
６    非接着面
７    周縁
７ａ  周縁接合部
７ｂ  上周縁
７ｃ  左右両周縁
７ｄ  下周縁
８    よだれかけ
９    よだれかけ表面の図柄
１０  本発明の吸収体付シール表面の図柄
【図１】
0003694161.tif 000002
【図２】
0003694161.tif 000003
【図３】
0003694161.tif 000004
【図４】
0003694161.tif 000005
【図５】
0003694161.tif 000006
【図６】
0003694161.tif 000007
【図７】
0003694161.tif 000008